【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
シートにトナー画像を転写する転写部と、
シートに転写されたトナー画像をシートに定着する定着部と、
前記転写部と前記定着部との間に設けられ、シートを搬送するための搬送部と、
前記転写部から前記定着部へ向かって搬送されているシートの先端の速度が低下するように前記搬送部を移動させる移動部と、
前記移動部によって前記搬送部を移動させているときに前記転写部から前記定着部へ向かって搬送されているシートの先端が前記定着部に到達するように制御する制御部と、有することを特徴とする画像形成装置。
【請求項２】
前記搬送部は、シートを搬送面に吸引してシートを搬送し、
前記制御部は、前記移動部によって前記搬送部の前記搬送面をシートの厚さ方向に移動させながら該シートの先端が前記定着部に到達するように、制御することを特徴とする請求項１に記載の画像形成装置。
【請求項３】
前記搬送部と前記定着部との間に設けられ、シートをガイドする固定されたガイド部材を備え、
前記移動部によって、シート搬送方向における前記搬送部の搬送面の下流側を下方に移動させることによって、前記ガイド部によってガイドされたシートの先端側が変形することを特徴とする請求項２に記載の画像形成装置。
【請求項４】
前記搬送部と前記定着部との間に設けられ、シートをガイドするガイド部材を備え、
前記移動部は、前記搬送部の搬送面におけるシート搬送方向の下流側の部分と、先端側が前記ガイド部材によってガイドされたシートとが離れるように前記搬送部を移動させることを特徴とする請求項２に記載の画像形成装置。
【請求項５】
前記制御部は、搬送するシートの厚さが所定の厚さ以上の場合には、前記搬送部がシートを搬送している状態で、前記移動部が前記搬送部の搬送面の移動させ、
前記制御部は、搬送するシートの厚さが所定の厚さ未満の場合には、前記搬送部がシートを搬送している状態で前記搬送部の搬送面を移動させる動作を実行しないことを特徴とする請求項２乃至４のいずれかに記載の画像形成装置。
【請求項６】
前記移動部は、シート搬送方向における前記搬送部の下流側を上方若しくは下方に移動させることを特徴とする請求項１乃至５のいずれかに記載の画像形成装置。
【請求項７】
前記搬送部によるシートの搬送方向が第１方向となる第１位置と、前記２搬送部によるシートの搬送方向が前記第１方向よりも下方に向いた第２の方向となる第２位置と、に前記移動部は前記搬送部を揺動させ、
前記制御部は、前記第１位置に位置した前記搬送部によって搬送されているシートの先端が前記定着部に到達する前に、前記移動部が前記搬送部の前記第１位置から前記第２位置への揺動を開始し、前記第１位置から前記第２位置へ前記搬送部を揺動させている途中で前記搬送部によって搬送されるシートの先端が前記定着部に到達するように制御することを特徴とする請求項１乃至６のいずれかに記載の画像形成装置。
【請求項８】
前記搬送部によるシートの搬送方向が第１方向となる第１位置と、前記搬送部によるシートの搬送方向が前記第１方向よりも上方に向いた第２の方向となる第２位置と、に前記移動部は前記搬送部を揺動させ、
前記制御部は、前記第１位置に位置した前記搬送部によって搬送されているシートの先端が前記定着部に到達する前に、前記移動部が前記搬送部の前記第１位置から前記第２位置への揺動を開始し、前記第１位置から前記第２位置へ前記搬送部を揺動させている途中で前記搬送部によって搬送されるシートの先端が前記定着部に到達するように制御することを特徴とする請求項１または２に記載の画像形成装置。
【請求項９】
シートの先端を検知したことに応じて信号を出力するシート検知部を有し、
前記シート検知部からの信号に応じて、搬送されるシートの先端が前記定着部よりも上流側の所定位置に達したと判断したときに、前記移動部が前記搬送部の移動を開始するように前記制御部が制御することを特徴とする請求項１乃至８のいずれかに記載の画像形成装置。
【請求項１０】
シートが前記転写部と前記定着部との両方に挟持された状態で前記転写部と前記定着部との間でのシートのループ量に応じた信号を出力するループ検知部を有し、
前記ループ検知部からの信号に応じて、前記定着部のシート搬送速度が変更されることを特徴とする請求項１乃至９のいずれかに記載の画像形成装置。
【請求項１１】
前記転写部のシート搬送速度をＶ１、前記搬送部のシート搬送速度をＶ２、前記定着部のシート搬送速度をＶ３とするとき、Ｖ１＜Ｖ２であり、且つ、前記ループ検知部からの出力に基づいて、前記定着部のシート搬送速度Ｖ３を、Ｖ１より高速とするか低速とするかを前記制御部が切り替えることを特徴とする請求項１０に記載の画像形成装置。
【請求項１２】
前記移動部は、前記転写部から前記定着部へ向かって搬送されているシートに撓みを生じさせるように前記搬送部を移動させ、
前記制御部は、搬送されるシートに撓みを生じさせるように前記搬送部を移動させながら該シートの先端が前記定着部に到達するように制御することを特徴とする請求項１乃至１０のいずれかに記載の画像形成装置。
【請求項１３】
前記搬送部は、吸引部によってシートが吸引され、回転することでシートを搬送する搬送ベルトを備え、
前記移動部は、前記搬送ベルトを、シート搬送方向における前記搬送ベルトの上流側に設けられた揺動中心を中心にして揺動させ、
前記制御部は、前記移動部によって前記搬送ベルトを前記揺動中心を中心にして揺動させながらシートの先端が前記定着部に到達するように制御することを特徴とする請求項１に記載の画像形成装置。
【請求項１４】
シートにトナー画像を転写する転写部と、
シートに転写されたトナー画像をシートに定着する定着部と、
吸引部によってシートが吸引され、回転することでシートを前記転写部から前記定着部へ搬送する搬送ベルトと、
前記搬送ベルトを、シート搬送方向における前記搬送ベルトの上流側に設けられた揺動中心を中心にして揺動させる移動部と、
前記移動部によって前記搬送ベルトを前記揺動中心を中心にして揺動させながらシートの先端が前記定着部に到達するように制御する制御部と、有することを特徴とする画像形成装置。
【請求項１５】
前記搬送ベルトと前記定着部との間に設けられ、シートをガイドする固定されたガイド部材を備え、
前記移動部によって、シート搬送方向における前記搬送ベルトの搬送面の下流側を下方に移動させることによって、前記ガイド部によってガイドされたシートの先端側が変形することを特徴とする請求項１４に記載の画像形成装置。
【請求項１６】
前記搬送ベルトと前記定着部との間に設けられ、シートをガイドするガイド部材を備え、
前記移動部は、前記搬送ベルトの搬送面におけるシート搬送方向の下流側の部分と、先端側が前記ガイド部材によってガイドされたシートとが離れるように前記搬送部を移動させることを特徴とする請求項１４に記載の画像形成装置。
【請求項１７】
前記制御部は、搬送するシートの厚さが所定の厚さ以上の場合には、前記搬送ベルトがシートを搬送している状態で、前記移動部によって前記搬送ベルトを揺動させ、
前記制御部は、搬送するシートの厚さが所定の厚さ未満の場合には、前記搬送ベルトがシートを搬送している状態の前記搬送ベルトを同道させる動作を実行しないことを特徴とする請求項１４乃至１６のいずれかに記載の画像形成装置。